(57)【要約】【課題】  ブラシ状の転写手段を用いた場合は、転写材に静電吸着された現像剤の飛び散りや感光部材への逆転写が生じ、画像の乱れ、濃度の低下、かぶりなど、形成されるべき画像に悪影響を及ぼすものであり、タンデム方式などで構成されたカラー画像形成装置においては、その構成上、上記の悪影響も顕著なものになり易く、現像剤の混色といった、新たな問題点も生じて来るもので、転写手段の転写領域を規定するものである。【解決手段】  転写材は、搬送ベルト７によって搬送され、感光ドラム６と接触するものであって、転写装置４Ｂ4は、搬送ベルトの背面に接触した帯電ブラシ４Ｂ4２であり、画像形成時における、前記ブラシの先端が、前記搬送ベルト及びまたは前記転写材と感光ドラム６で形成されるニップ部分の範囲を越えないように設ける。帯電ブラシは、ローラ状であり、転写装置が、搬送ベルトとの接触面で搬送ベルトの進行方向と相対的に逆の方向に稼働する。【選択図】  図５
2005107554.tif 000002
【特許請求の範囲】
【請求項１】
感光部材上に静電潜像を形成し、該感光部材に対して現像剤を供給して静電潜像を可視像化し、該可視像を転写装置にて転写材に転写し、転写材上の可視像を定着装置にて定着させる画像形成装置において、
前記転写装置は、前記感光部材に接しながら、転写材を搬送するベルト状の搬送部材の背面に接触して帯電を行なうブラシ部を有し、画像形成時における該ブラシ部のブラシ先端が、前記感光部材と前記搬送部材の重なり領域であるニップ部範囲を越えないように設け、
前記ブラシ部が、ローラ状であり、
前記転写装置が、搬送部材との接触面で搬送部材の進行方向と相対的に逆の方向に稼働することを特徴とする画像形成装置。
【請求項２】
前記搬送部材のニップ部の曲率半径をＲ１、該ニップ部を見込む中心角を２θ1とし、前記転写装置が搬送部材に対向する部分の曲率半径をＲ２とし、その対向部分を見込む中心角を２θ2としたとき、以下の関係式を満たすことを特徴とする請求項１に記載の画像形成装置。
ｓｉｎθ2≦（Ｒ１ｓｉｎθ1）／Ｒ２
【発明の詳細な説明】
【技術分野】
【０００１】
本発明は、電子写真方式プリンタ、電子複写機、電子写真方式のカラー電子複写機及びカラープリンタなどに用いられる画像形成装置に関し、詳しくは転写装置に関する。
【背景技術】
【０００２】
一般に、電子写真方式の画像形成装置を構成する転写装置として、従来、コロナチャージャによる転写技術が多用されていたが、多少なりとも有害なオゾンの発生を伴うことが判明したので、オゾンレスの転写技術の開発が進められている。
【０００３】
そこで、接触方式の転写技術が考えられていたが、これは、半導電性の転写ベルトと、この転写ベルトの背面に転写ローラを配置してなり、上記転写ローラに転写バイアスを印加することにより転写を行うものであったが、転写装置の構成が大型になり、装置内に大きなスペースをとり、また、高コストの要因になるとして、給電ブラシ、若しくは給電ブレードが知られている。これは、給電ブラシ若しくは給電ブレードなどの給電部材に対して転写バイアスが印加され、転写電界を形成するようになっている。
【０００４】
この際、平状ブラシを感光体ドラムの軸心に対して垂直に向けて、その先端部を感光ドラムに当接させると、長期の使用でブラシの先端部が潰れるなど、耐久性が損なわれたり、転写電界ニップ幅が変動し易く、且つ当接が不十分になって転写不良を来すとして、給電部材を使用しない時は感光体ドラムから離間したりする技術があるが、この場合給電部材端部の当接部分の位置決めに高い精度が要求されコストアップに繋がるとして、位置決め精度を不要化して、常に一定の転写電界形成ニップ幅を保持すると共にタンデム方式の転写方式を採るという技術が開示されている（例えば、特許文献１参照）。
【特許文献１】特開平１０−２３２５７４号公報
【発明の開示】
【発明が解決しようとする課題】
【０００５】
しかし、転写手段にブラシ状のものを用いた場合、その弾性から搬送手段の移動に伴い、搬送方向下流側にブラシが傾斜し、傾斜した先端が、転写材が感光部材から剥離するポイント、即ち搬送手段と感光部材で形成されたニップ部の終端を越えて、搬送部材に接触し易く、この場合転写材に静電吸着された現像材の飛び散りや感光部材への逆転写が生じるものとなる。
【０００６】
このように、ブラシ状の転写手段を用いた場合は、転写材に静電吸着された現像剤の飛び散りや感光部材への逆転写が生じ、画像の乱れ、濃度の低下、かぶりなど、形成されるべき画像に悪影響を及ぼすものである。
また、タンデム方式などで構成されたカラー画像形成装置においては、その構成上、上記の悪影響も顕著なものになり易く、現像剤の混色といった、新たな問題点も生じて来るものである。
【０００７】
本発明は、上記問題点に鑑みて成されたもので、その主目的は、転写装置の転写領域を規定するものである。
【課題を解決するための手段】
【０００８】
本発明は上記目的を達成するために次のような構成をとる。
本発明の第１の要旨は、感光部材上に静電潜像を形成し、該感光部材に対して現像剤を供給して静電潜像を可視像化し、該可視像を転写装置にて転写材に転写し、転写材上の可視像を定着装置にて定着させる画像形成装置において、前記転写装置は、前記感光部材に接しながら、転写材を搬送するベルト状の搬送部材の背面に接触して帯電を行なうブラシ部を有し、画像形成時における該ブラシ部のブラシ先端が、前記感光部材と前記搬送部材の重なり領域であるニップ部範囲を越えないように設けることを特徴とする画像形成装置にある。
【０００９】
本発明の第２の要旨は、前記転写装置は、弾性部材によって、前記搬送部材との距離Ｄ１が、略一定になるように支持されており、ブラシ根本とニップ部端部との距離をＤ２とした場合に、該ブラシの長さＬ１が、以下の関係式を満たすことを特徴とする請求項１記載の画像形成装置にある。
Ｄ２≧Ｌ１≧Ｄ１
【００１０】
本発明の第３の要旨は、前記転写装置は、前記ブラシ部の搬送部材における搬送方向下流側に、剛性を有する部材を設け、前記剛性部材のブラシ側上端部からブラシ上端までの長さをＬ２と、前記剛性部材のブラシ側上端部から前記ニップ部端部との距離をＤ３としたとき、以下の関係式を満たすことを特徴とする請求項１記載の画像形成装置にある。
Ｄ３≧Ｌ２＞０
【００１１】
本発明の第４の要旨は、前記転写装置のブラシ部が搬送部材の法線軸に関して搬送部材の進行方向へ傾斜して形成されていることを特徴とする請求項１記載の画像形成装置にある。
【００１２】
本発明の第５の要旨は、前記ブラシ部が、ローラ状であることを特徴とする請求項１記載の画像形成装置にある。
【００１３】
本発明の第６の要旨は、前記転写装置が、搬送部材との接触面で搬送部材の進行方向と相対的に逆の方向に稼働することを特徴とする請求項５又は６に記載の画像形成装置にある。
【００１４】
本発明の第７の要旨は、前記搬送部材のニップ部の曲率半径をＲ１、該ニップ部を見込む中心角を２θ1とし、前記転写装置が搬送部材に対向する部分の曲率半径をＲ２とし、その対向部分を見込む中心角を２θ2としたとき、以下の関係式を満たすことを特徴とする請求項５又は６に記載の画像形成装置にある。
ｓｉｎθ2≦（Ｒ１ｓｉｎθ1）／Ｒ２
【発明の効果】
【００１５】
要旨１の発明によれば、転写装置のブラシ部が転写材の搬送方向に倒れた場合にも、搬送部材のニップ部以外の部分に接触することがなく、転写材上の現像剤の飛び散りや逆転写を防止するものである。
【００１６】
要旨２の発明によれば、転写装置のブラシ部のブラシの長さを規定することにより、そのブラシが搬送方向に倒れても、搬送部材のニップ部以外の部分に接触することがないこととなり、転写材上の現像剤の飛び散りや逆転写を防止するものである。
【００１７】
要旨３の発明によれば、転写装置のブラシ部の搬送方向下流側にガイドを設けることとなり、実際に搬送部材に接触するブラシ部の密度が向上し、転写材上の現像剤の飛び散りや逆転写を防止することとなる。
【００１８】
要旨４の発明によれば、予め、ブラシを傾斜させて配置することにより、搬送部材への接触面積を増加させることとなり、転写効率を高め、また、搬送部材のニップ部以外に接触させないことにより、現像剤の飛び散りや逆転写をも防止するものである。
【００１９】
要旨５の発明によれば、単位時間当たりの延接触面積を増加させ、また、ブラシと特有のバラケによる転写ムラを防止することとなり、転写効率を高め、搬送部材のニップ部以外への接触をさせないことにより、現像剤の飛び散りや逆転写を防止することとなる。
【００２０】
要旨６の発明によれば、搬送部材とローラ状ブラシ部或いは無端ベルトとの単位時間当たりの延接触面積を増加させ、また、ブラシと特有のバラケによる転写ムラの防止をし、更に転写効率を高め、搬送部材のニップ部以外の接触をさせないことにより、現像剤の飛び散りや逆転写をも防止するものである。
【００２１】
要旨７の発明によれば、搬送部材のニップ部の曲率に対する転写装置の曲率を規定することとなり、前記転写装置を、その表面がブラシ状であるローラまたは無端ベルトにすることにより、単位時間当たりの延接触面積を増加させ、搬送部材のニップ部以外の接触をさせないことにより、現像剤の飛び散りや逆転写を防止することとなる。
【発明を実施するための最良の形態】
【００２２】
以下、本発明の実施の形態を図面を参照して説明する。
図１は、画像形成装置としてのカラー画像形成装置を示しており、黒（Ｂ）、マゼンタ（Ｍ）、シアン（Ｃ）及びイエロー（Ｙ）の各色毎の画像を形成する画像ステーションＢ，Ｍ，Ｃ，及びＹと、前記画像ステーションＢ，Ｍ，Ｃ，及びＹの下方に密着し、用紙等の被転写媒体を各画像ステーションに向けて順次搬送する搬送コンベア７と、用紙等に形成された画像を加熱定着する定着装置８より概略構成されている。
【００２３】
この構成により用紙等は、上流側から縦続配置された画像ステーションＢ，Ｍ，Ｃ，及びＹでの画像を、位置制御しながら重畳することで１のカラー画像を形成し、搬送コンベア７にて更に定着装置８に送ることで用紙等の上に画像を定着することができる。
尚、各画像ステーションＢ，Ｍ，Ｃ，及びＹはトナーの種類が異なるが、略同一構成であるので、画像ステーションＢを代表して以下に説明する。
【００２４】
画像ステーションＢの感光体ドラム６Ｂの周囲には、回転方向に沿って帯電装置１Ｂ、露光装置２Ｂ、現像装置３Ｂ、転写装置４Ｂ、及びクリーニング装置５Ｂを配置し、プロセスユニットを構成している。
【００２５】
帯電装置１Ｂは、感光体ドラム６Ｂの上方に位置し、感光体ドラム６Ｂの表面に接触して感光体ドラム６Ｂを一様に、例えば負の電位に帯電する帯電装置１Ｂである。
【００２６】
露光装置２Ｂは、前記帯電装置１Ｂから感光ドラム６Ｂの回転方向下流側に位置し、図示しない画像データ入力手段（例えば、複写機におけるスキャナ装置等の光学系、又は画像信号でもよい）からの信号に基づき帯電した感光体ドラム６Ｂを露光し、静電潜像を形成する。
【００２７】
現像装置３Ｂは、露光装置１Ｂからさらに感光体ドラム回転方向側に位置し、感光体ドラム６Ｂに形成される静電潜像に現像剤を供給することで静電潜像を可視化する。この画像ステーションＢの現像装置３Ｂに収容される現像剤は、例えば黒色トナーである。
【００２８】
転写装置４Ｂは、感光体ドラム６Ｂに転写材である用紙を搬送するために設けられた搬送ベルト７の背面側（下面側）の位置に設け、感光体ドラム６Ｂに担持された可視像が搬送ベルト７にて搬送されてくる用紙に密着すると同時に、現像剤が用紙側に転写するようにバイアス電圧が印加されている。
より詳細については、後述する。
【００２９】
クリーニング装置５Ｂは、転写位置から感光体ドラム６Ｂの回転方向下流側に設け、感光体ドラム６Ｂ表面の残留トナーを例えばブレード等により掻き落とす等して回収している。
【００３０】
上記搬送ベルト７は、第１の画像ステーションＢの感光体ドラム６Ｂから第４の画像ステーションＹの感光体ドラム６Ｙに対して順次、転写材である用紙を搬送するベルトであって、駆動ローラー１０と従動ローラー１１との間に掛け渡されて設けられている。
搬送ベルト７の幅（用紙の搬送方向と直交する方向）は、感光体ドラム６の長手方向の長さとほぼ等しい長さ寸法に形成されている。
また、搬送ベルト７は、ポリイミドからなる無端状ベルトであり、その搬送速度は、１１６［ｍｍ／ｓｅｃ］である。
【００３１】
前記感光体ドラム６Ｂと搬送ベルト７の接触にて形成される接触領域であるニップ部は、約３［ｍｍ］の弧長を有している。
【００３２】
定着装置８は、搬送ベルト７の従動ローラー１１の下流側に位置し、第１から第４の画像ステーションにて重ね合わせて形成された用紙上のトナー像を加熱して用紙に定着させて画像を得るものである。
【００３３】
次に、図２を参照しつつ転写装置４Ｂについて詳細に説明する。
図２は、感光体ドラム６Ｂ、搬送ベルト７、及び転写装置４Ｂの相互関係を作用的に示す説明図である。
転写装置４Ｂは、基台４Ｂ１とブラシ４Ｂ２とから構成されており、搬送ベルト７の幅方向と略同一長さの基台４Ｂ１にブラシ４Ｂ２が所定幅でその長手方向に一様に形成され、バイアス電圧が印加されている。
【００３４】
前記ブラシ４Ｂ２は、材質はレーヨン・ＥＴＦＥ（Ethylene  Tetrafluoroethylene：エチレンテトラフルオロエチレン）を用い、毛足の長さを２〜５［ｍｍ］の間で調整するものである。また、その太さを３〜６Ｄ（Denier：デニール）、植毛密度を８〜２４［万本／ｉｎｃｈ2］に調整されているものとする。また、前記転写装置４Ｂは、搬送ベルト７に１０〜２０［ｇ／ｃｍ2］の圧力で付勢されるように図示しない付勢手段（例えばバネ、ゴム等の弾性部材）で付勢されている。
【００３５】
前記転写装置４Ｂは前記弾性部材によって、前記搬送ベルト７との距離Ｄ１が、略一定になるように支持されており、ブラシ４Ｂ２の根本から先端までの最大長さＬ１が、以下の関係式（１）を満足するように構成されている。
Ｄ２≧Ｌ１≧Ｄ１          式（１）
Ｄ２：ブラシ根本とニップ部後端部との距離である。
【００３６】
具体的には、ブラシ４Ｂ２の根本から搬送ベルト７までの距離Ｄ１を２［ｍｍ］、ブラシ４Ｂ２の長さＬ１を２．３［ｍｍ］とした場合、ブラシ４Ｂ２の根本から搬送ベルト７のニップ後端部までの距離Ｄ２は約２．５［ｍｍ］とし、ブラシ４Ｂ２がニップ部を超えて下流側に接触することがないように設けている。
【００３７】
以上の構成、すなわち、ブラシ４Ｂ２の長さＬ１をブラシ４Ｂ２の根本から搬送ベルト７までの距離Ｄ１よりも長くすることにより、ブラシ４Ｂ２が用紙の搬送方向に沿って倒れて接触面積（転写面積）が大きくなり、転写が確実となる。また、倒れたブラシ４Ｂ２の先端が、搬送ベルト７のニップ部を超えて接触することがないので、用紙上の現像剤に転写以外のバイアス電圧を印加することがなくなり、用紙上に転写形成された現像剤の飛び散りや逆転写を防止することができる。
【００３８】
（比較例１）
尚、上記第１の実施形態との比較例として、転写装置のブラシの根本から搬送ベルト７までの距離Ｄ１を２［ｍｍ］、ブラシの長さＬ１を３［ｍｍ］とすると、ブラシ根本から搬送部材ニップ後端部までの距離Ｄ２は約２．５［ｍｍ］となるので、関係式（１）を満たさず、ブラシがニップ部以外に接触してしまうこととなる。
【００３９】
次に、図３を参照しつつ転写装置の第２実施形態について説明する。
図３に示す転写装置４Ｂ2は、前記第１実施形態の転写装置４Ｂにおいて基台４Ｂ１のブラシ４Ｂ２の取り付け位置よりも搬送ベルト７の搬送方向下流側に、所定高さ（搬送ベルト７との隙間Ｄ３を設ける）の剛性部材９を基台４Ｂ１の長手方向に沿って固定し、第１実施形態の転写装置４Ｂより長いブラシ４Ｂ2２にも対応可能とするものである。
【００４０】
この場合に第１の実施形態と同一の作用効果を得るためには、剛性部材９のブラシ側端部（上流側の側面上端辺）からブラシ先端部までの長さ（剛性部材９とブラシの長さの差）をＬ２とし、前記剛性部材９のブラシ側端部から前記ニップ後端部との距離をＤ３としたとき、下記関係式（２）を満足するように構成する。
Ｄ３≧Ｌ２＞０          式（２）
【００４１】
具体的には、ブラシ根本から搬送部材ニップ端部までの距離は前記第１実施形態と同様に約２．５［ｍｍ］とし、ブラシ４Ｂ2２の長さを３［ｍｍ］とした場合には、剛性部材９の高さを約１．５［ｍｍ］、剛性部材９と搬送ベルト７との距離を１［ｍｍ］とすると、Ｌ２＝１．５［ｍｍ］、Ｄ３＝１．６［ｍｍ］となり、上記関係式（２）を満たすこととなる。
【００４２】
上記関係式（２）を満たすように剛性部材９を設けることにより、ブラシ４Ｂ2２が途中で中折れする形となるので、ブラシ４Ｂ2２がニップ部を超えてニップ部以外に接触することがない。
このように、転写装置４Ｂ2のブラシ４Ｂ2２の搬送方向下流側にガイド的作用を発揮する剛性部材（ガイド部材）９を設けることにより、実際に搬送ベルト７に接触するブラシ４Ｂ2２の密度が向上し、転写材上の現像剤の飛び散りや逆転写を防止することとなる。
尚、剛性部材９の取り付け位置や形状は、前記したものに限定するものではなく、ブラシのガイド部材としての作用効果を得るものであれば、その他の部分に取り付けても、又、板状に限らず線状のものであってもよい。
【００４３】
次に、図４を参照しつつ転写装置の第３実施形態について説明する。
図４に示す転写装置４Ｂ3は、ブラシ４Ｂ3２を搬送ベルト７の法線軸に対して搬送ベルト７の進行方向へ傾斜して設け、ブラシ４Ｂ3２の先端が搬送ベルト７に当接するものである。
【００４４】
具体的には、転写装置４Ｂ3に植設したブラシ４Ｂ3２の搬送ベルト７の法線軸に対する傾斜角度を４５［°］に設定し、転写装置４Ｂ3の基台４Ｂ１が搬送ベルト７に最も接近する搬送ベルト７の移動方向上流側部と搬送ベルト７の距離を１［ｍｍ］、毛足の長さを３［ｍｍ］とした。この場合も、ブラシ４Ｂ3２がニップ部以外に接触することがないものである。
【００４５】
以上の構成により、予めブラシ４Ｂ3２を傾斜させて配置することにより、ブラシ４Ｂ3２と搬送ベルト７の接触面積が増加し、転写効率を高め、また、搬送ベルト７のニップ部以外に接触させないことにより、現像剤の飛び散りや逆転写をも防止するものである。
【００４６】
（比較例２）
尚、上記第３の実施形態との比較例として、転写装置４Ｂ3の傾斜角度を４５［°］に設定し、基台４Ｂ１が搬送ベルト７に最も接近している搬送ベルト７の移動方向上流側のベースと搬送ベルト７の距離を１［ｍｍ］、毛足の長さを４［ｍｍ］とした場合には、ブラシがニップ部以外と接触してしまう。
【００４７】
次に、図５を参照しつつ転写装置の第４実施形態について説明する。
図５に示す転写装置４Ｂ4は、回転可能とした軸Ｓに円周方向に向かって一様にブラシ４Ｂ4２を植設してブラシローラＢＲを形成しており、搬送ベルト７のニップ部分全範囲以内において内においてブラシローラＢＲが接触し、かつ、その接触部分においては搬送ベルト７と反対方向に接触するように回転している（感光体ドラム６Ｂと同一回転方向）。尚、前記実施形態と同様にブラシ４Ｂ4２には、感光体ドラム６Ｂに担持された可視像が搬送ベルト７にて搬送されてくる用紙に密着すると同時に、現像剤が用紙側に転写するようにバイアス電圧が印加されている。
【００４８】
上記のようにブラシローラＢＲが、搬送ベルト７との接触面で搬送進行方向と相対的に逆の方向に稼働接触することにより、ブラシローラＢＲと搬送ベルト７の単位時間当たりの延接触面積を増加させ、また、ブラシ特有のバラケによる転写ムラの防止をし、更に転写効率を高めている。
【００４９】
また、ブラシローラＢＲは、前記搬送ベルト７のニップ部の曲率半径をＲ１、該ニップ部を見込む中心角を２θ1とし、前記ブラシローラＢＲが搬送ベルト７に対向する部分の曲率半径をＲ２とし、その対向部分を見込む中心角を２θ2としたとき、以下の関係式（３）を満足するようにブラシ４Ｂ4２等を設ける。
ｓｉｎθ2≦（Ｒ１ｓｉｎθ1）／Ｒ２        式（３）
【００５０】
具体的には、ブラシローラＢＲの曲率半径を５．００［ｍｍ］とし、また、軸Ｓと感光体ドラム６Ｂの軸間距離を２４．７３［ｍｍ］とし、また、感光体ドラム６Ｂにおけるニップ部を見込む中心角２θ1を８．５９［°］、ブラシローラＢＲにおける搬送部材との対向部分を見込む中心角２θ2を３３．６８［°］とした。この時も、ブラシローラＢＲがニップ部以外に接触することがないものである。
【００５１】
上記の構成とすることで、単位時間当たりの延接触面積を増加させ、また、ブラシ特有のバラケによる転写ムラを防止することとなり、転写効率を高め、搬送部材のニップ部以外への接触を回避することにより、現像剤の飛び散りや逆転写を防止することとなる。
【００５２】
また、ブラシローラＢＲが関係式（３）を満足することにより、搬送ベルト７のニップ部の曲率に対するブラシローラＢＲの曲率を規定することとなる。
転写装置のバイアス電圧印加手段として回転ローラ状のブラシローラＢＲにすることにより、単位時間当たりの延接触面積を増加させ、搬送部材のニップ部以外の接触を回避することにより、現像剤の飛び散りや逆転写を防止するものである。
【００５３】
（比較例３）
尚、上記第４の実施形態との比較例として、転写装置４Ｂ4にブラシローラを用い、その曲率半径を５．００［ｍｍ］とし、感光体ドラム６Ｂの半径を２０．００［ｍｍ］、また、両軸間距離を２４．７０［ｍｍ］とし、感光体ドラム６Ｂにおけるニップ部を見込む中心角２θ1を８．５９［°］、転写装置４Ｂ4における搬送ベルト７との対向部分を見込む中心角２θ2を３６．０８［°］とした場合には、ブラシがニップ部以外と接触するものとなってしまう。
【００５４】
以上説明したように比較例１乃至３においては、バイアス電圧印加手段としてのブラシがニップ部以外に接触してしまい、作成された複写サンプルは、現像剤の飛び散り、かぶりが生じ、更なる使用で、現像剤の混色もみられるようになった。
【００５５】
しかし、実施形態１乃至４での複写サンプルには、現像剤の飛び散りやかぶりの発生は見られず、画像の乱れは生じなかったものである。
【００５６】
尚、今回はカラー画像形成装置についての実施形態例を上げてきたが、勿論、通常のモノカラー画像形成装置にも適用されるものであることはいうまでもない。
【００５７】
上記説明した本発明によれば、転写装置のブラシ部が転写材の搬送方向に倒れた場合、又は、ベルト部が予め所定形状の軌道を回転する場合に、搬送部材のニップ部以外の部分に接触させず、転写材上の現像剤の飛び散りや逆転写を防止することが可能となる。
【図面の簡単な説明】
【００５８】
【図１】本発明の第１の実施形態に係る画像形成装置の全体概略正面図である。
【図２】本発明の第１の実施形態に係る転写装置の作用的説明図である。
【図３】本発明の第２の実施形態に係る転写装置の作用的説明図である。
【図４】本発明の第３の実施形態に係る転写装置の作用的説明図である。
【図５】本発明の第４の実施形態に係る転写装置の作用的説明図である。
【符号の説明】
【００５９】
１Ｂ  帯電装置
３Ｂ  現像装置
４Ｂ、４Ｂ2、４Ｂ3、４Ｂ4  転写装置
６Ｂ  感光体ドラム
７  搬送ベルト
８  定着装置
４Ｂ２、４Ｂ2２、４Ｂ3２  ブラシ
ＢＲ  ブラシローラ
【図１】
2005107554.tif 000003
【図２】
2005107554.tif 000004
【図３】
2005107554.tif 000005
【図４】
2005107554.tif 000006
【図５】
2005107554.tif 000007